【手続補正書】
【提出日】平成19年3月1日(2007.3.1)
【手続補正１】
【補正対象書類名】明細書
【補正対象項目名】特許請求の範囲
【補正方法】変更
【補正の内容】
【特許請求の範囲】
【請求項１】  電子機器と情報信号の授受を行う情報処理装置において、
前記電子機器に関する購入時情報または修理情報を含む商品履歴情報の、書き込みまたは読み出しのための制御情報を前記電子機器より取得する制御情報取得手段と、
前記制御情報取得手段により取得された前記制御情報を識別し記憶する制御情報識別記憶手段と、
前記制御情報識別記憶手段により記憶された前記制御情報に基づいて、前記電子機器に記憶されている前記商品履歴情報を更新する商品履歴更新手段と
を備えることを特徴とする情報処理装置。
【請求項２】  前記情報信号は、ネットワークシステムを介して授受が行われる
ことを特徴とする請求項１に記載の情報処理装置。
【請求項３】  前記ネットワークシステムは、IEEE1394シリアルバスから構成されている
ことを特徴とする請求項２に記載の情報処理装置。
【請求項４】  前記制御情報識別記憶手段により記憶された前記制御情報に基づいて、前記電子機器から読み出された前記商品履歴情報を記憶する商品履歴記憶手段をさらに備える
ことを特徴とする請求項１に記載の情報処理装置。
【請求項５】  前記電子機器から、前記電子機器の機器識別番号を読み出す機器識別番号読み出し手段と、
前記商品履歴記憶手段により記憶された前記商品履歴情報と、前記電子機器の機器識別番号を他の電子機器に集中して記憶させる集中記憶手段をさらに備える
ことを特徴とする請求項４に記載の情報処理装置。
【請求項６】  前記集中記憶手段により前記他の電子機器に記憶された前記商品履歴情報の中から、所定の前記電子機器に関する前記商品履歴情報を、前記電子機器の機器識別番号に基づいて読み出す商品履歴読み出し手段をさらに備える
ことを特徴とする請求項５に記載の情報処理装置。
【請求項７】  前記商品履歴更新手段は、前記制御情報に基づいて読み出された前記商品履歴情報を表示する商品履歴表示手段をさらに備える
ことを特徴とする請求項１に記載の情報処理装置。
【請求項８】  前記商品履歴更新手段は、前記商品履歴表示手段により表示された前記商品履歴情報に基づいて、外部から前記電子機器に関する新たな商品履歴情報の入力を行う商品履歴入力手段をさらに備える
ことを特徴とする請求項７に記載の情報処理装置。
【請求項９】  前記制御情報取得手段は、前記電子機器との通信接続が確立したとき、前記制御情報を前記電子機器より取得する
ことを特徴とする請求項１に記載の情報処理装置。
【請求項１０】  前記電子機器に、前記購入時情報が既に書き込まれているか否かを判定する購入時情報書き込み判定手段をさらに備え、
前記商品履歴更新手段は、前記購入時情報書き込み判定手段による判定の結果、前記購入時情報が既に書き込まれていると判定された場合、前記電子機器に、新たな購入時情報を書き込まない
ことを特徴とする請求項１に記載の情報処理装置。
【請求項１１】  前記商品履歴更新手段は、前記電子機器に関する前記修理情報を上書きしない
ことを特徴とする請求項１に記載の情報処理装置。
【請求項１２】  前記購入時情報は、購入日、購入店の名称、購入店の住所、購入店の電話番号、または購入店の電子署名に関する情報を含む
ことを特徴とする請求項１に記載の情報処理装置。
【請求項１３】  前記修理情報は、修理日、修理項目、修理内容、修理連絡先、修理会社名、または修理者に関する情報を含む
ことを特徴とする請求項１に記載の情報処理装置。
【請求項１４】  電子機器と情報信号の授受を行う情報処理装置の情報処理方法において、
前記電子機器に関する購入時情報または修理情報を含む商品履歴情報の、書き込みまたは読み出しのための制御情報を前記電子機器より取得する制御情報取得ステップと、
前記制御情報取得ステップの処理により取得された前記制御情報を識別し記憶する制御情報識別記憶ステップと、
前記制御情報識別記憶ステップの処理により記憶された前記制御情報に基づいて、前記電子機器に記憶されている前記商品履歴情報を更新する商品履歴更新ステップと
を含むことを特徴とする情報処理方法。
【請求項１５】  電子機器と情報信号の授受を行う情報処理装置を制御するプログラムであって、
前記電子機器に関する購入時情報または修理情報を含む商品履歴情報の、書き込みまたは読み出しのための制御情報を前記電子機器より取得する制御情報取得ステップと、
前記制御情報取得ステップの処理により取得された前記制御情報を識別し記憶する制御情報識別記憶ステップと、
前記制御情報識別記憶ステップの処理により記憶された前記制御情報に基づいて、前記電子機器に記憶されている前記商品履歴情報を更新する商品履歴更新ステップと
を含むことを特徴とするコンピュータが読み取り可能なプログラムが記録されている記録媒体。
【請求項１６】  他の情報処理装置と情報信号の授受を行う情報処理装置において、
前記情報処理装置に関する購入時情報または修理情報を含む商品履歴情報の、書き込みまたは読み出しのための制御情報を記憶する制御情報記憶手段と、
前記他の情報処理装置からの指令に基づいて更新される前記商品履歴情報を記憶する商品履歴記憶手段と、
前記他の情報処理装置からの要求に基づいて、前記制御情報記憶手段に記憶されている前記制御情報を、前記他の情報処理装置に送出する制御情報送出手段と
を備えることを特徴とする情報処理装置。
【請求項１７】  前記情報信号は、ネットワークシステムを介して授受が行われる
ことを特徴とする請求項１６に記載の情報処理装置。
【請求項１８】  前記ネットワークシステムは、IEEE1394シリアルバスから構成されている
ことを特徴とする請求項１７に記載の情報処理装置。
【請求項１９】  前記情報処理装置の機器識別番号を記憶する機器識別番号記憶手段をさらに備え、
前記他の情報処理装置からの指令に基づいて、前記機器識別番号記憶手段により記憶されている前記機器識別番号を読み出し、前記商品履歴記憶手段により記憶されている前記商品履歴情報を読み出す
ことを特徴とする請求項１６に記載の情報処理装置。
【請求項２０】  前記商品履歴記憶手段に記憶されている前記商品履歴情報を表示する商品履歴表示手段をさらに備える
ことを特徴とする請求項１６に記載の情報処理装置。
【請求項２１】  前記制御情報送出手段は、前記他の情報処理装置との通信接続が確立したとき、前記制御情報を前記他の情報処理装置に送出する
ことを特徴とする請求項１６に記載の情報処理装置。
【請求項２２】  前記購入時情報は、購入日、購入店の名称、購入店の住所、購入店の電話番号、または購入店の電子署名に関する情報を含む
ことを特徴とする請求項１６に記載の情報処理装置。
【請求項２３】  前記修理情報は、修理日、修理項目、修理内容、修理連絡先、修理会社名、または修理者に関する情報を含む
ことを特徴とする請求項１６に記載の情報処理装置。
【請求項２４】  他の情報処理装置と情報信号の授受を行う情報処理装置の情報処理方法において、
前記情報処理装置に関する購入時情報または修理情報を含む商品履歴情報の、書き込みまたは読み出しのための制御情報を記憶する制御情報記憶ステップと、
前記他の情報処理装置からの指令に基づいて更新される前記商品履歴情報を記憶する商品履歴記憶ステップと、
前記他の情報処理装置からの要求に基づいて、前記制御情報記憶ステップの処理により記憶されている前記制御情報を、前記他の情報処理装置に送出する制御情報送出ステップと
を含むことを特徴とする情報処理方法。
【請求項２５】  他の情報処理装置と情報信号の授受を行う情報処理装置を制御するプログラムであって、
前記情報処理装置に関する購入時情報または修理情報を含む商品履歴情報の、書き込みまたは読み出しのための制御情報を記憶する制御情報記憶ステップと、
前記他の情報処理装置からの指令に基づいて更新される前記商品履歴情報を記憶する商品履歴記憶ステップと、
前記他の情報処理装置からの要求に基づいて、前記制御情報記憶ステップの処理により記憶されている前記制御情報を、前記他の情報処理装置に送出する制御情報送出ステップと
を含むことを特徴とするコンピュータが読み取り可能なプログラムが記録されている記録媒体。
【手続補正２】
【補正対象書類名】明細書
【補正対象項目名】００１３
【補正方法】変更
【補正の内容】
【００１３】
前記制御情報識別記憶手段により記憶された制御情報に基づいて、電子機器から読み出された商品履歴情報を記憶する商品履歴記憶手段をさらに設けるようにすることができる。
【手続補正３】
【補正対象書類名】明細書
【補正対象項目名】００１６
【補正方法】変更
【補正の内容】
【００１６】
前記商品履歴更新手段は、制御情報に基づいて読み出された商品履歴情報を表示する商品履歴表示手段をさらに設けるようにすることができる。
【手続補正４】
【補正対象書類名】明細書
【補正対象項目名】００１７
【補正方法】変更
【補正の内容】
【００１７】
前記商品履歴更新手段は、商品履歴表示手段により表示された商品履歴情報に基づいて、外部から電子機器に関する新たな商品履歴情報の入力を行う商品履歴入力手段をさらに設けるようにすることができる。
【手続補正５】
【補正対象書類名】明細書
【補正対象項目名】００２９
【補正方法】変更
【補正の内容】
【００２９】
前記情報処理装置の機器識別番号を記憶する機器識別番号記憶手段をさらに設けるようにすることができ、他の情報処理装置からの指令に基づいて、機器識別番号記憶手段により記憶されている機器識別番号を読み出し、前記商品履歴記憶手段により記憶されている商品履歴情報を読み出すようにすることができる。